(57)【要約】【課題】  従来の簡易便器は縦に使った場合、排泄物を取り出す時に、横にしなければならない手間があった。又、簡易便器全体と床を、排泄物で汚してしまう恐れがある。  【解決手段】この男子小児用引き出し付便器は、課題を克服するために、ほぼ垂直な部分とこれに連続するほぼ水平部分とより成る、飛沫受け部を有する男子用便器であって、水平部分の液受面下部には、着脱自在の引き出しを設けたことを特徴とするので、排泄物を取り出すときは本体ごと動かず手間がなく、便器全体と床を排泄物で汚す心配がない。【選択図】図１
2005143617.tif 000002
【特許請求の範囲】
【請求項１】
ほぼ垂直な部分１０とこれに連続するほぼ水平部分１１とより成る飛沫受け部を有する男子用便器であって、水平部分の液受面下部には着脱自在の引き出しを設けた事を特徴とする男子小児用引き出し付便器。
【請求項２】
屋内の水平な床面に載置可能な比較的広い底面を有し下部に転倒防止用の重錘を取り付け可能にした。請求項1記載の男子小児用引き出し付便器。
【請求項３】
請求項２の転倒防止用重錘に代え家屋の壁等への固定手段を設けた、請求項１記載の男子小児用引き出し付便器。
【請求項４】
プラスチック製の請求項１〜３の男子小児用引き出し付便器。
【請求項５】
水平部分の液受面と引き出しとが円弧状に形成された請求項１〜４記載の男児小児用引き出し付便器。
【発明の詳細な説明】
【技術分野】
【０００１】
本発明は男子幼児がトイレトレーニングの段階で、立姿勢で小便をするスタイルを、身に付けさせ、トイレトレーニングを終えた小児男子も使用する事が出来る。男子小児用引き出し付便器に関する。
【背景技術】
【０００２】
従来の簡易便器は大便、小便兼用で排泄物が内容器ごと取り出せる仕組になっている物
がある。（特許文献１参照）また、従来の小便器は、陶器製で壁に設置するタイプであり複雑な構
造である。（特許文献２参照）
【０００３】
以下図８、図９、図１０、便器について説明する。
図８、図９においては、大便、小便兼用だが立てて使用して場合排泄物を取り出す時にわざわざ倒して横にしなければ（寝かせた状態）排泄物を取り出す事が出来ない。しかも立たせている物を横にする事によって、簡易便器全体を汚してしまう恐れもあるし、排泄物をこぼしてしまう可能性もある。
【０００４】
図１１においては、陶器製で設置するタイプなので持ち運びが出来ない。また、洋式便器の備わっている一般家庭のトイレには陶器製で大きいため併用して備える事が出来ない。
【０００５】
【特許文献１】特開２０００−３１４１７１
【特許文献２】特開平１０−２９９０６５
【発明の開示】
【発明が解決しようとする課題】
【０００６】
本発明は、これらの背景技術の問題点を解決して、男子幼児が立姿勢で、洋式便器でおしっこをした場合、ポタポタしたたり落ちたり身長が低いために届かず台に立ってひっくり返るおそれや背がギリギリのため、おちんちんが当たったりするおそれがあり、不潔であった事を解決する事を目的とするものである。
【課題を解決するための手段】
【０００７】
そして第１の発明は、上記目的を達するために、ほぼ垂直な部分とこれに連続するほぼ水平部分とより成る、飛沫受け部を有する、男子用便器であって、水平部分の液受面下部には、着脱自在の引き出しを設けた事を特徴とする、男子小児用引き出し付便器である。
【０００８】
第２の発明は、屋内の水平な床面に載置可能な比較的広い底面を有し、下部に転倒防止用の重錘を取り付け可能にした、第１発明記載の男子小児用引き出し付便器である。
【０００９】
第３の発明は、第２の発明の転倒防止用重錘に代え、家屋の壁等への固定手段を設けた、第１の発明記載の男子小児用引き出し付便器である。
【００１０】
第４の発明は、プラスチック製の第１〜第３の発明の男子小児用引き出し付便器である。
【００１１】
第５の発明は水平部分の液受面と引き出しとが円弧状に形成された第１〜第４の発明の男子小児用引き出し付便器である。
【発明の効果】
【００１２】
本発明の男子小児用引き出し付便器は、小さいので軽くて持ち運びしやすく、場所をとらない。引き出しがある事でおしっこをためる事が出来るので、１回１回の排水がいらず、水の節約になる。また１回１回引き出して流し捨てるという労力もかからない。立った時に縁が低いので、おちんちんが当たらず台に立たなくても済み、また、下に図３に示す様に円弧状部分（５）がくるのでポタポタ受け止める効果がある。
【実施例１】
【００１３】
以下、本発明の男子小児用引き出し付便器は、図面に示すようにほぼ垂直な部分１０と、これに連続するほぼ水平な部分１１とより成っている。実施例を図１〜図３に基づいて説明する。
本体の高さ（Ｌ１）は１００ＣＭ（トイレトレーニングを始める１才半〜児童が使える高さ）になっているので転倒防止の為、後壁に設置するためのフック穴１が上部後側に用けられている。また２はフックが取り付けられない場合のため、裏側下部の引き出し後は空洞になっており重錘を置ける様になっている。本体の横幅は重錘代わりとして、ペットボトルが置ける２７ＣＭ（５００ＭＬ〜１０００ＭＬの液体入）になっている。どこの家庭にもある物で、ゴミになってしまうペットボトルだからリサイクルにもなり、何よりもわざわざ重錘を買わなくてすむ。又ペットボトルだと水を入れてもふたが閉められるので、こぼれる心配がない。
【００１４】
ほぼ垂直な部分１０と、これに連続するほぼ水平な部分１１との間には、傾斜部３が形成されており、そこに当たったおしっこが流れて、液受面にある穴４から下の引き出し６に溜まる仕組になっている。引き出し６の大きさとしては、容量は約１５００ＭＬなので幼児おしっこなら（１回が１５０ＭＬ〜２００ＭＬ）７回〜１０回分のおしっこを溜める事が出来る。数回溜める事で毎回の排水をしなくても済むので、繁雑でなく、また、水道代の節約にもつながってくる。
トイレトレーニングを始めるのが１才半〜２才と考え、水平部分の液受面（図３の５）は足を広げて立った時股下部が先細りで円弧状になっている為、ポタポタしたたり落ちるのを確実に受け止める事が出来、又、液受面の高さ（Ｌ２）はおちんちんが当たらない高さに設定してある（約２３〜２８ＣＭ）。すなわち衛生的かつ清潔といえる。また、プラスチック（ポリプロピレン）にすることで化学的変化に強く安定した素材で、なおかつ安価でできる。
【産業上の利用可能性】
【００１５】
軽くてコンパクトなので持ち運びが出来、引き出し部分におしっこが溜まる為、家庭のどこにでも置ける。
【図面の簡単な説明】
【００１６】
【図１】本発明の男子小児用引き出し付便器の正面図
【図２】図１のＡ−Ａ線に沿う男子小児用引き出し付便器縦断面図
【図３】本発明の男子小児用引き出し付便器の平面図
【図４】本発明の男子小児用引き出し付便器の液受面縦断面図
【図５】本発明の男子小児用引き出し付便器の左後側斜視図
【図６】本発明の男子小児用引き出し付便器の右後側斜視図
【図７】フックを利用した取付け説明図
【図８】フックを利用した取付け説明図
【図９】従来のおまる
【図１０】従来のおまる（縦に使用した時）
【図１１】従来の男子用便器
【符号の説明】
【００１７】
１  フック穴
２  重錘置きスペース
３  傾斜部
４  穴  
５  円弧状部
６  引き出し
７  重錘（例えば、ペットボトル）
【図１】
2005143617.tif 000003
【図２】
2005143617.tif 000004
【図３】
2005143617.tif 000005
【図４】
2005143617.tif 000006
【図５】
2005143617.tif 000007
【図６】
2005143617.tif 000008
【図７】
2005143617.tif 000009
【図８】
2005143617.tif 000010
【図９】
2005143617.tif 000011
【図１０】
2005143617.tif 000012
【図１１】
2005143617.tif 000013